【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
通信装置であって、
通信相手の他の通信装置宛てに送信されるサブフレームの送信タイミングを制御する通信制御部と、
前記通信制御部による制御モードを第１のモード又は第２のモードに設定する設定部と、を備え、
前記通信制御部は、前記第１のモードが設定された場合、前記通信装置に固有の第１のパラメータ及び前記他の通信装置に固有の第２のパラメータに基づいて送信タイミングを制御し、前記第２のモードが設定された場合、前記第２のパラメータに基づいて送信タイミングを制御する、通信装置。
【請求項２】
前記第１のパラメータは動的に設定され、前記第２のパラメータは静的に又は準静的に設定される、請求項１に記載の通信装置。
【請求項３】
前記第２のパラメータは、フレーム構成の種類に応じて設定される、請求項１または請求項２に記載の通信装置。
【請求項４】
前記第２のパラメータは、Ｓｅｌｆ−ｃｏｎｔａｉｎｅｄサブフレームでない場合は０が設定され、Ｓｅｌｆ−ｃｏｎｔａｉｎｅｄサブフレームである場合は０でない値が設定される、請求項３に記載の通信装置。
【請求項５】
前記第２のパラメータは、Ｓｅｌｆ−ｃｏｎｔａｉｎｅｄサブフレームである場合は上りリンクの制御チャネルのシンボル長及び／又は生成のための処理時間に応じて設定される、請求項４に記載の通信装置。
【請求項６】
前記第１のパラメータの取り得る最大値は、フレーム構成の種類に応じて決まる、請求項１乃至請求項５の何れか１項に記載の通信装置。
【請求項７】
前記通信制御部は、前記第２のモードにおいては、非直交アクセス方式を用いて前記他の通信装置と通信する、請求項１乃至請求項６の何れか１項に記載の通信装置。
【請求項８】
前記通信制御部は、前記制御モードが前記第１のモードから前記第２のモードへ切り替えられる場合、前記第１のモードにおいて用いていた前記第１のパラメータをリセットする、又は引き続き用いる、請求項１乃至請求項７の何れか１項に記載の通信装置。
【請求項９】
前記通信制御部は、前記制御モードの設定が有効になるまでの時間を制御する、請求項１乃至請求項８の何れか１項に記載の通信装置。
【請求項１０】
前記通信制御部は、前記制御モードが前記第２のモードから前記第１のモードに切り替えられる場合、重複部分を有する連続する２つの上りリンクサブフレームのうち少なくともいずれか一方の一部又は全部を、上りリンクの送信に用いない、請求項１乃至請求項９の何れか１項に記載の通信装置。
【請求項１１】
前記制御モードは、デフォルトで前記第１のモードが設定され、所定の条件が満たされる場合に前記第２のモードが設定される、請求項１乃至請求項１０の何れか１項に記載の通信装置。
【請求項１２】
前記制御モードは、ＲＲＣ（Radio  Resource  Control）状態に応じて設定される、請求項１乃至請求項１１の何れか１項に記載の通信装置。
【請求項１３】
前記制御モードは、複信方式に応じて設定される、請求項１乃至請求項１２の何れか１項に記載の通信装置。
【請求項１４】
前記制御モードは、サブキャリア間隔に応じて設定される、請求項１乃至請求項１３の何れか１項に記載の通信装置。
【請求項１５】
前記制御モードは、ＴＴＩ（Transmission  Time  Interval）長に応じて設定される、請求項１乃至請求項１４の何れか１項に記載の通信装置。
【請求項１６】
通信装置であって、
通信相手の他の通信装置における、前記他の通信装置から前記通信装置宛てに送信されるサブフレームの送信タイミングの制御モードを第１のモード又は第２のモードに設定する設定部と、
前記設定部により設定された前記制御モードに基づいて前記他の通信装置との通信を制御する通信制御部と、
を備え、
前記通信制御部は、前記第１のモードにおいては、前記他の通信装置に固有に通知される第１のパラメータ及び前記通信装置に固有の設定によって決まる第２のパラメータに基づく送信タイミングで送信されたサブフレームの受信処理を行い、前記第２のモードにおいては、前記第２のパラメータに基づく送信タイミングで送信されたサブフレームの受信処理を行い、
前記設定部は、設定する前記制御モードを示す情報、及び前記第１のモードを設定する場合は前記第１のパラメータを、前記他の通信装置へ通知する、通信装置。
【請求項１７】
通信装置のプロセッサにより実行される通信方法であって、
通信相手の他の通信装置宛てに送信されるサブフレームの送信タイミングを制御することと、
制御モードを第１のモード又は第２のモードに設定することと、
を含み、
前記制御することは、前記第１のモードが設定された場合、前記通信装置に固有の第１のパラメータ及び前記他の通信装置に固有の第２のパラメータに基づいて送信タイミングを制御し、前記第２のモードが設定された場合、前記第２のパラメータに基づいて送信タイミングを制御することを含む、通信方法。
【請求項１８】
通信装置のプロセッサにより実行される通信方法であって、
通信相手の他の通信装置における、前記他の通信装置から前記通信装置宛てに送信されるサブフレームの送信タイミングの制御モードを第１のモード又は第２のモードに設定することと、
設定された前記制御モードに基づいて前記他の通信装置との通信を制御することと、を備え、
前記制御することは、前記第１のモードにおいては、前記他の通信装置に固有に通知される第１のパラメータ及び前記通信装置に固有の設定によって決まる第２のパラメータに基づく送信タイミングで送信されたサブフレームの受信処理を行い、前記第２のモードにおいては、前記第２のパラメータに基づく送信タイミングで送信されたサブフレームの受信処理を行うことを含み、
前記設定することは、設定する前記制御モードを示す情報、及び前記第１のモードを設定する場合は前記第１のパラメータを、前記他の通信装置へ通知することを含む、通信方法。
【請求項１９】
コンピュータを、
通信装置であって、
通信相手の他の通信装置宛てに送信されるサブフレームの送信タイミングを制御する通信制御部と、
前記通信制御部による制御モードを第１のモード又は第２のモードに設定する設定部と、を備え、
前記通信制御部は、前記第１のモードが設定された場合、前記通信装置に固有の第１のパラメータ及び前記他の通信装置に固有の第２のパラメータに基づいて送信タイミングを制御し、前記第２のモードが設定された場合、前記第２のパラメータに基づいて送信タイミングを制御する、通信装置として機能させるためのプログラムを記録した記録媒体。
【請求項２０】
コンピュータを、
通信装置であって、
通信相手の他の通信装置における、前記他の通信装置から前記通信装置宛てに送信されるサブフレームの送信タイミングの制御モードを第１のモード又は第２のモードに設定する設定部と、
前記設定部により設定された前記制御モードに基づいて前記他の通信装置との通信を制御する通信制御部と、
を備え、
前記通信制御部は、前記第１のモードにおいては、前記他の通信装置に固有に通知される第１のパラメータ及び前記通信装置に固有の設定によって決まる第２のパラメータに基づく送信タイミングで送信されたサブフレームの受信処理を行い、前記第２のモードにおいては、前記第２のパラメータに基づく送信タイミングで送信されたサブフレームの受信処理を行い、
前記設定部は、設定する前記制御モードを示す情報、及び前記第１のモードを設定する場合は前記第１のパラメータを、前記他の通信装置へ通知する、通信装置として機能させるためのプログラムを記録した記録媒体。